(57)【要約】【課題】柔軟性を有するシート部材を用い少ない材料で製作が簡単な簡易トレーを提供する。【解決手段】所定の幅及び長さを有するほぼ平坦な底壁と、底壁の長さ方向の両端部がそれぞれ所定の長さに切断され残りの部分で底壁と連結され所定の長さの幅長で起立し対向する一対の側壁とを備え、底壁及び各側壁を１枚の柔軟性を有するシート部材で形成し、各側壁の切断された上方の各側壁は互いに対向面を接合させて固着し、底壁の長手方向の側壁に連結されていない底壁の端部がそれぞれ固着部の上端から所定の長さ上方へ突出している。【選択図】図１
2004217224.tif 000002
【特許請求の範囲】
【請求項１】
所定の幅及び長さを有するほぼ平坦な底壁と、該底壁の長さ方向の両端部がそれぞれ所定の長さに切断され残りの部分で該底壁と連結され所定の長さの幅長で起立し対向する一対の側壁とを備え、該底壁及び各側壁を１枚の柔軟性を有するシート部材で形成し、該各側壁の切断された上方の各側壁は互いに対向面を接合させて固着し、該底壁の長手方向の該側壁に連結されていない該底壁の端部がそれぞれ該固着部の上端から所定の長さ上方へ突出していることを特徴とする簡易トレー。
【請求項２】
所定の幅及び長さを有するほぼ平坦な底壁と、該底壁の長さ方向における対向する両側部が所定の長さでそれぞれ切断され残りの部分で一体に連結され所定長さの幅長で該底壁の外周縁から所定の角度で起立した周側壁とを備え、該底壁及び各側壁を１枚の柔軟性を有するシート部材で形成し、該周側壁は該底壁との切断部分が該底壁の外周縁より下方へ所定の長さに延び、該延びた周側壁が該外周縁の付近で屈曲されて該底壁の内底壁面に当接していることを特徴とする簡易トレー。
【請求項３】
前記柔軟性を有するシート部材は、フィルム状シート材又はチューブ状シート材であることを特徴とする請求項１又は２記載の簡易トレー。
【請求項４】
前記フィルム状シート材又は前記チューブ状シート材に補強手段を施したことを特徴する請求項３記載の簡易トレー。
【請求項５】
前記柔軟性を有するシート部材に、チューブ状シート材を用い、前記底壁又は／及び側壁に所定量の空気を封入したことを特徴とする請求項１又は２記載の簡易トレー。
【発明の詳細な説明】
【０００１】
【発明の属する技術分野】
本発明は、ス−パ−、コンビニエンスストア等で販売される肉、魚介類等を収納するのに好適な簡易トレ−に係り、更に詳しくは、薄い柔軟性部材、例えばフィルム状シ−ト部材又はチューブ状シート材等を用いて簡単に製作できる簡易トレ−に関する。
【０００２】
【従来の技術】
ス−パ−、コンビニエンスストア等の店頭においては、果物、野菜等は、透明フィルムで形成された包装用袋に詰められ、或いは発泡スチロール材で作られたトレーに収納されて販売されている。このような包装用袋及び発砲スチロール製トレーは、用途に応じて多種のものが作られ市販及び使用されており、また特許文献にも多くみられる。（例えば、特許文献１、２）。
前記特許文献１に記載されている包装用袋は、基材シートと透明フィルムを積層し周辺をシールして一辺が開口している袋状に形成された袋本体と、透明フィルムが袋本体の開口端部から外方に連設されたフラップ部とからなり、フラップ部が基材シートに固着可能に形成されたものである。また、前記特許文献２の食品収納トレーは、トレー本体をプラスチックフィルム又はシート材で形成し、内底面にクッション材が一体的に取付けられたものである。
【０００３】
【特許文献１】
特開平１１−０５９７４２号公報      （第１−２頁  図２）
【特許文献２】
特開平１１−０７９２５２号公報    （第１−２頁  図１）
【０００４】
トレーの中では発泡スチロ−ル製トレーが多く使用され、トレーの主流を占めている。その理由は、発砲スチロール製トレーは、所定の肉厚を有しながらも軽量で持ち運びが便利であり、しかも変形しないため収納物を収納状態でそのまま保持でき、外力からも収納物を保護できるからである。しかし、反面、肉厚が厚いため運搬・保管の際に嵩張り、また製造の際にも収納物の品名等を印刷することが容易でなかった。そのため、品名、生産者名等の印刷は、他で印刷された紙片をトレーに貼付するか或いはスタンプ押しするしかなかった。更に、近年、プラスチック製品は、その焼却による二酸化炭素の発生と、これに伴う地球の温暖化、ダイオキシン類の発生などが地球環境の破壊の一因をなしていることから、プラスチック製品の使用を極力少なくすること、或いは効率的な廃棄処理等が緊急の社会的要請となっている。この要請の一環として、プラスチック製品を資源ゴミとして分別回収し、これをリサイクルして利用する活動も盛んになっている。しかし、プラスチック製品の分別回収を周知徹底させるには限度があり、家庭によっては分別が面倒であるとして、プラスチック製品を日常的に家庭ゴミとして排出し、或いはプラスチック製品の分別回収を意識していながらも、うっかり家庭ゴミとして出してしまうことも稀ではなかった。
【０００５】
【発明が解決しようとする課題】
この状況から、発泡スチロール製トレ−が今後も多く販売され使用され続けると、環境問題の解決を更に困難にし環境破壊を加速することになる。このため発泡スチロール製トレ−に代えて環境に優しいトレーの研究、開発が進められている。その対策の一つとみられるものとして、発泡スチロール材に代えて他の材料を用いたトレーが前記特許文献１でも提案されている。しかし、このトレーは、圧真空形成等の熱成形によって製作されるものであることから、その製造が面倒で製造コストが嵩むばかりでなく、高額な設備を必要としこのような設備が無ければ簡単に製造できない。しかも一部ではあるがトレー内の底面に発泡スチール製のクッション材を一体的に取付けるものであることから、期待できるほど発泡スチール材を低減することができない。
【０００６】
また、前記特許文献２の食品包装用袋にも課題がある。それはこの包装用袋がフィルム状シート材で作られているため肉厚が薄く収納物の保護が充分でないこと、或いは袋の開口部が常時閉じているので収納物の挿入が面倒であること、すなわち、例えば、袋に食料品等を収納しようとするとき、一々袋を片手で開口状態に保持しておいて、他方の手で収容物を収納するか、或いは、他の人の手を借りて収容物を収納しなければならないので、この収納作業が甚だ煩わしいことである。
【０００７】
本発明は、これらの課題を解消するためになされたものであって、
その発明の目的は、柔軟性を有するシート部材を用い少ない材料で製作が簡単な簡易トレーを提供することにある。
また、本発明の目的は、柔軟性を有するシート部材を用い型崩れが少なく、且つ緩衝機能を有する簡易トレーを提供することにある。
【０００８】
【課題を解決するための手段】
上記の目的は、以下の構成により達成できる。
【０００９】
本発明の簡易トレーは、所定の幅及び長さを有するほぼ平坦な底壁と、該底壁の長さ方向の両端部がそれぞれ所定の長さに切断され残りの部分で該底壁と連結され所定の長さの幅長で起立し対向する一対の側壁とを備え、該底壁及び各側壁を１枚の柔軟性を有するシート部材で形成し、該各側壁の切断された上方の各側壁は互いに対向面を接合させて固着し、該底壁の長手方向の該側壁に連結されていない該底壁の端部がそれぞれ該固着部の上端から所定の長さ上方へ突出していることを特徴とする。
【００１０】
また、本発明の簡易トレーは、所定の幅及び長さを有するほぼ平坦な底壁と、該底壁の長さ方向における対向するの両側部が所定の長さでそれぞれ切断され残りの部分で一体に連結され所定長さの幅長で該底壁の外周縁から所定の角度で起立した周側壁とを備え、該底壁及び各側壁を１枚の柔軟性を有するシート部材で形成し、該周側壁は該底壁との切断部分が該底壁の外周縁より下方へ所定の長さで延び、該延びた周側壁が該外周縁の付近で屈曲されて該底壁の内底壁面に当接していることを特徴とする。
【００１１】
そして、前記柔軟性を有するシート部材には、フィルム状シート材又はチューブ状シート材を用い、また、前記フィルム状シート材又は前記チューブ状シート材に補強手段を施し、更に前記柔軟性を有するシート部材に、チューブ状シート材を用い、前記底壁又は／及び側壁に所定量の空気を封入することが好ましい。
【００１２】
これら簡易トレーは、何れも柔軟性を有するシート部材を用い、このシート材を折り曲げ、一部切り込み、或いは一部箇所を固着することで製作する。したがって、トレーの製作に特別複雑な機械、設備等が不要となる。
また、柔軟性を有するシート材を使用するので、従来の発砲スチロール材を使用したトレーに比べ、材料使用量を格段、例えば四分の一から十分の一に低減できる。また、シート材に任意の印刷が可能であり、しかも先端部にも簡単にトレー収納物と品名、価格などをも印刷乃至付設できる。更に、シート材を二重にし間に厚紙等を介在させることで、簡単にトレーの型崩れをなくすこともできる。
更にまた、シート材にチューブ状のものを使用することにより、チューブ内に同様な厚紙等を挿入して補強ができるばかりでなく、底壁又は／及び側壁に所定量の空気を封入することにより、緩衝機能を持たせることもできる。
【００１３】
【発明の実施の形態】
以下、本発明の簡易トレーの実施形態を図面を参照して説明する。
図１は、本発明の簡易トレーの第１実施形態を示す斜視図、図２は、図１の簡易トレーの製法を示す概略図である。
簡易トレー１は、所定の幅及び長さを有するほぼ平坦な底壁２と、この底壁２の長さ方向の両端部付近が所定の長さに切断され、残りの部分で底壁２と一体に連結され所定の幅長を有し底壁２の周縁から所定の角度で起立して対向する一対の側壁３ａ、３ｂとからなり、底壁２及び各側壁３ａ、３ｂは１枚の柔軟性を有するシート部材で形成し、対向する側壁３ａ、３ｂは、長手方向の両端部の側壁３ｃと３ｄ、３ｅと３ｆとを各側壁の対向面が接合されるようにして固着し、底壁２の各側壁と切断されこれらの側壁に連結されていない底壁２の各先端部２ａ、２ｂと２ｃ、２ｄをそれぞれ固着部５、６付近の各側壁３ａ、３ｂの上端から所定の長さ上方へ突出させたものである。
【００１４】
底壁２の大きさ、側壁３ａ、３ｂの長さ及び幅は、簡易トレーの用途によって、任意の大きさ及び長さに選定される。例えば、野菜の茄子、キュウリ等の長物を収納するトレーの場合は、底壁は細長状で側壁の幅は比較的短く、且つ長さが比較的長くなるように設定される。また、底壁２の先端部２ａ〜２ｄは、固着部５、６付近の各側壁３ａ、３ｂの上端から所定の長さ上方へ突出させるが、この突出の長さは、簡易トレー１内に物が収納されたとき、その収納物の重さで各先端部２ａと２ｂ、と２ｃと２ｄが固着部５、６付近の各側壁３ａ、３ｂの上端からすり抜けない長さに選定される。
【００１５】
柔軟性を有するシート部材には、例えば紙、木材、合成樹脂性フィルム、及び紙等に合成樹脂材がラミネートされたシート材、或いは合成樹脂性フィルム等で作られたチューブ状のシート材を用いる。
底壁２及び各側壁３ａ、３ｂを合成樹脂からなるフィルム状シート材で形成すると、底壁２及び各側壁３ａ、３ｂは柔軟になり型崩れし易くなる。この型崩れを少なくするために、シート材を二重にして間に厚紙等を介在させてトレーの型崩れを少なくする。また、完成したトレー内の底壁２に中敷を敷設し、或いは各側壁３ａ、３ｂの側面に厚紙等からなる補強部材を貼付、または側壁を所定の幅長で１乃至複数折り畳みこの部分を固着して補強することによって型崩れを少なくする。
また、簡易トレー１を合成樹脂性フィルム等で作られたチューブ状シート材で形成する場合は、底壁２又は／及び各側壁３ａ、３ｂに所定量の空気を封入する。この空気の封入により、トレー１の型崩れが少なくなり、且つ底壁２及び各側壁３ａ、３ｂは緩衝部材となるので、この緩衝部材によりトレー内の収納物を保護することが可能になる。
更に、底部２の先端部２ａ〜２ｄが各側壁３ａ、３ｂの上端へ突出しているので、この部分に任意の表示、例えば収納物の品名、価格等を付してもよい。この表示は、シート材に予め印刷して置いても、或いは予め印刷等して置いた札類を貼付してもよい。
【００１６】
この簡易トレー１は、例えば以下の方法で製作する。
図２（ａ）に示すように、所定の長さ及び幅を有するシート材、例えば矩形状シート材を用いその中心部から二つ折りして重ねる。次いで、この重ねたシート材１ａ、折り目ａ（なお、この折り目ａは、矩形状シート材の中心線でもある）から上方へ所定の長さｙ離れた位置での水平線上において、長手方向の両端からそれぞれ所定の長さに亘り切り込みｘ、ｘ’を入れて、底壁２と側壁３とをそれぞれの両端部付近で分断する。そして、側壁３の両端部は、左右の端部、すなわち各端部３ｃと３ｄ、各端部３ｅと３ｆとをそれぞれ側壁面を接合させて適宜の固着手段を用い固着する。折り目ａから各切り込みｘ、ｘ’までの長さは、簡易トレー１の底部２の幅長を形成するもので、この長さｙが長くなれば底部２の幅長は広くなり、逆に短くなればこの幅長は短くなり、この長さはトレーの用途に応じて任意の長さに選定される。  また、各切り込みｘ、ｘ’の長さは、ほぼ同一長であり、この長さも前記の長さｙと同様に任意の長さに選定される。
【００１７】
固着手段は、シート材に種類によって任意の手段が用いられ、例えばシート材が紙類である場合は、糊等による貼着、またシート材が合成樹脂材である場合は、熱による溶着手段が用いられる。
【００１８】
各側壁３ａ、３ｂの両端部を固着した後、二つ折りのシート部材１ａの各側壁３ａ、３ｂをそれぞれ引き離して間に開口部を形成しながら、底壁２の各先端部２ａと２ｂ、２ｃと２ｄを各切り込みｘ、ｘ’部分を下方から、すなわち図（ｂ）に示す各矢印Ａ、Ａ’の方向から底部２の各先端部２ａ、２ｂ及び２ｃ、２ｄを屈曲させて開口部へ挿入し、各先端部２ａと２ｂ、２ｃと２ｄの先端が固着部５、６近傍の側壁３ａ、３ｂの上端へ位置するように引っ張り上げ、同時に、折り目部分ａを拡げ底部２が平坦になるようして成形し、図（ｃ）に示す簡易トレーを完成させる。
【００１９】
この簡易トレーは、以下の利点を有している。すなわち柔軟性を有するシート材を使用しているので、従来の発砲スチロール材を使用したトレーに比べ、材料使用量を格段、例えば四分の一から十分の一に低減できる。また、シート材に任意の印刷が可能であり、しかも先端部にも簡単にトレー収納物と品名、価格などをも印刷乃至付設できる。
更に、シート材を二重にし間に厚紙等を介在させることで、簡単にトレーの型崩れをなくすこともできる。更にまた、シート材にチューブ状のものを使用することにより、チューブ内に同様な厚紙等を挿入して補強ができるばかりでなく、底壁又は／及び側壁に所定量の空気を封入することにより、緩衝機能を持たせることもできる。
更にまた、その製法は、このシート材を折り曲げ、一部切り込み、或いは一部箇所を固着することで製作できるので、特別複雑な機械、設備等を必要とせず極めて簡単に製作できる。
【００２０】
前記簡易トレー１は、底壁及び側壁を形成するシート材１ａは、二つ折りの状態で長手方向において、底壁２と側壁３の長さがほぼ同一長であったが、この長さを変えて、底壁２の長さを側壁３の長さより長くしたシート材を使用しても形成できる。
図３は、本発明の簡易トレーの第２の実施形態であって、同図（ａ）はシート材の側面図、同図（ｂ）は簡易トレーの外観斜視図である。
この簡易トイー１’は、前記簡易トレー１を製作するシート材１ａと異なり、二つ折りした状態において、底壁２’の長さが側壁３’の長さより長くなったシート材１ａ’を使用して製作するものである。このシート材１ａ’を用いても製法は図２に示す製法と同じであるので、簡易トレー１’の各部分の構造は、簡易トレー１と同一符号を用いこの符号にダッシュを付し、その説明を省略する。
このシート材１ａ’を用いて製作した簡易トレー１’は、前記簡易トレー１に比べて、底壁２’の各先端部２ａ’〜２ｄ’の長さが長くなって、各側壁３ａ’、３ｂ’の上端へ突出することになる。
したがって、底壁２’の長さを側壁３’の長さより長くすることにより、先端部２ａ’〜２ｄ’の長さが長くなるので、簡易トレー１’内に物が収納されたとき、その収納物の重さで各先端部２ａ’と２ｂ’、２ｃ’と２ｄ’が固着部５’、６’付近の各側壁３ａ’、３ｂ’の上端からすり抜けることがなくなる。また、長くなった各先端部２ａ’〜２ｄ’を利用することにより、各先端部２ａ’〜２ｄ’に任意の印刷、例え収納物の品名、価格等を付すことが可能になる。
【００２１】
図４は、本発明の簡易トレーの第３の実施形態を示す斜視図、図５は、図４の簡易トレーの製法を示す概要図である。
簡易トレー１０は、所定の幅及び長さを有するほぼ平坦な底壁１２と、この底壁１２の長さ方向と直交する両側部が所定の長さでそれぞれ切断され、残りの部分（この部分は、底部の長手方向と直交する両側端部を言う）で一体に連結され所定の長さの幅長で底壁１２の外周縁から所定の角度で起立した周側壁１３ａ、１３ｂとからなり、底壁１２及び各側壁１３ａ、１３ｂを１枚の柔軟性を有するシート部材で形成する。このシート材の材質は、前記簡易トレー１のものと同じである。そして、周側壁１３ａ、１３ｂは、底壁１２との切断部分が底壁１２の外周縁より下方へ所定の長さ延び、この延びた周側壁１３が外周縁の付近で屈曲されて底壁１２の内底壁面に当接しているものである。なお、符号１５は、底壁１２の上下部分を連結する固着部である。
【００２２】
この簡易トレー１０は、例えば以下の方法で製作する。
簡易トレー１０は、例えばチューブ状シート材を所定の幅で切断した  シート片１０ａを用いる。このチューブ状シート片１０ａの形状は、図５（ａ）に示すように、側面の外形がほぼ矩形状をなし、その長手方向の両端部は固着され、長手方向と直交する部分は固着されておらずシート材が単に接合している。次いで、シート片１ａの長手方向の両端部から所定の長さｚ、ｚの位置で長手方向と直交する線上にシート片の下端部から上端部へ向けて所定の長さの切り込みｘ、ｘ’を入れ、切り込み部ｘ、ｘ’間のシート材の下端部を固着する。
次いで、図５（ｂ）に示すように側壁１３ａ、１３ｂの接合を離してチューブを開口し、図５（ｃ）に示すようにシート片１０ａを上下転倒させる。この転倒状態で長手方向の両端部から開口部を矢印Ａ、Ａ’に沿って底部１２の固着部１５が下方へ移動し側壁１２ａ〜１２ｄの内壁が外側に移動するように引っくり返し、底部１２の形状を平坦に成形すると共に、側壁の切り込みが設けられた部分を底壁１２の上面に当接させ、折り目部分ａ、ａ’を拡げ底部１２が平坦になるようにして成形し、図（ｄ）に示す簡易トレー１０を完成させる。
【００２３】
この簡易トレー１０は、切り込み部ｘ、ｘ’がシート片の長手方向に対してほぼ直角であったが、この角度を変え、例えば長手方向に対して所定の角度、例えば逆ハの字状に開いて所定長さの切り込み部を設け、底壁部の長さを変えたシート片でも形成できる。
図６は、本発明の簡易トレーの第４の実施形態であって、同図（ａ）はシート材の側面図、同図（ｂ）は簡易トレーの外観斜視図である。
この簡易トレー１０’を製作するシート片１０ａ’は、前記簡易トレー１０を製作するシート片１０ａと異なり、二つ折りした状態において、切り込み部が長手方向に対して所定の角度、例えば逆ハの字状に開くようにして所定長さの切り込み部ｘ、ｘ’を設け、底壁１２’の両端先端部１２ａと１２ｂ、１２ｃと１２ｄとが中央部より長くなっている。このシート材１０ａ’を用いても製法は図５に示す製法と同じであるので、簡易トレー１０’の各部分の構造は、簡易トレー１０と同一符号を用いこの符号にダッシュを付し、その説明を省略する。この簡易トレー１０’によれば、底壁１２’の各先端部１２ａ’と１２ｂ’、１２ｃ’と１２ｄ’が中央部より長くなった分だけ長く底壁内面に当接し、このトレーに収納物が収納された際にはトレーが安定する。
【００２４】
前記簡易トレーは、何れもシート材を所定の長さに切断したシート片を折り曲げ、所定箇所を固着することによって製作しているが、これらのシート片は、チューブ状シート材を使用することにより複数のシート片を効率よく作成することができる。図７は、このシート片の作製方法を示す工程図である。
先ず、予めチューブ状に製作されたシート材（図示省略）を用い、このシート材から２枚のシート片が形成される大きさのチューブ状シート片１００を切断する。図（ａ）は、この切断したチューブ状シート片の１つを示している。このチューブ状シート片１００は、側面形状がほぼ長方形をなしている。このチューブ状シート片１００を用い、長手方向の両端部１００ｂ、１００ｄにそれぞれ所定長さの切り込みを入れる。この切り込み部ｘは、上下端面１００ａ、１００ｃからそれぞれ所定の距離離れ、長手方向の軸とほぼ平行に、点線Ｌ１〜Ｌ４に沿って任意の切断手段１５０により切断して形成する。次いで、図（ｂ）に示すように、両端部の中央部１００ｂ’、１００ｄ’を適宜の固着手段１５１を用いてそれぞれ固着する。図（ｃ）には、固着部１０１、１０２が形成されたチューブ状シート片１００を示し、このチューブ状シート片１００からは、図２、図５に示す何れのシート片１ａ、１０ａをも製作できる。
【００２５】
図８は、チューブ状シート片１００を使用し、一方のシート片１ａを形成する方法を示し、図９は、他のシート片１０ａを形成する方法を示している。
図８（ａ）は、図７の工程で製作したチューブ状シート片１００を示し、このシート片１００を長手方向のほぼ中央部の点線Ｌ５で示す線上を適宜の切断手段１５０を用いて切断する。
この切断により、チューブ状シート片１００は、上下に分断され２枚のシート片１００’を形成する。（図８（ｂ）、（ｃ））。これらのシート片１００’は、２枚のシート片１ａとなる。
また、図９（ａ）、（ｂ）に示すように、長手方向と直交する方向、点線Ｌ６から切断することにより、シート片１０ａを同時に２個形成できる。（図９（ｃ））。
【００２６】
【発明の効果】
以上詳述したように、本発明の簡易トレーによれば、構成の簡単な簡易トレーを１枚の柔軟性を有するシート部材で簡単に製作できる。また、簡単な構成で型崩れが少なく、緩衝機能を持たせることもできる。更に詳述すると、本発明の簡易トレ−は、柔軟性を有するシート材で形成できるので、製作に特別高価な設備を必要とすることなく、単に折り曲げ加工乃至適宜の固着手段を用い簡単に製作できる。また、トレーの使用材料がこれまでの発砲スチロール製のトレーに比べても極端に少なくできる。そのため資源の節約、運搬時の扱いは簡単になり、保管時のスペースをとらず、また使用材料の量が格段に少なくなるために廃棄処分、特に公害の発生をなくすことができ環境に優しくなる。
【図面の簡単な説明】
【図１】本発明の簡易トレーの第１実施形態を示す斜視図。
【図２】図１の簡易トレーの製法を示す概略図。
【図３】本発明の簡易トレーの第２の実施形態であって、同図（ａ）はシート材の側面図、同図（ｂ）は簡易トレーの外観斜視図。
【図４】本発明の簡易トレーの第３の実施形態を示す斜視図。
【図５】図４の簡易トレーの製法を示す概要図。
【図６】本発明の簡易トレーの第４の実施形態であって、同図（ａ）はシート材の側面図、同図（ｂ）は簡易トレーの外観斜視図。
【図７】シート片の作製方法を示す工程図。
【図８】図７のシート片を使用し、一方のシート片１ａを形成する方法を示す工程図。
【図９】図７のシート片を使用し、他のシート片１０ａを形成する方法を示す工程図。
【符号の説明】
１、１’、１０、１０’  簡易トレー
１ａ、１ａ’、１０ａ、１０ａ’  シート片
２、２’、１２、１２’  底壁
２ａ〜２ｄ、２ａ’〜２ｄ’、１２ａ〜１２ｄ  先端部
３ａ〜３ｆ、３ａ’〜３ｆ’、１３ａ、１３ｂ、  側壁
５、６、５’、６’  固着部
ｘ、ｘ’  切り込み
ｙ  長さ
１００  チューブ状シート片
【図１】
2004217224.tif 000003
【図２】
2004217224.tif 000004
【図３】
2004217224.tif 000005
【図４】
2004217224.tif 000006
【図５】
2004217224.tif 000007
【図６】
2004217224.tif 000008
【図７】
2004217224.tif 000009
【図８】
2004217224.tif 000010
【図９】
2004217224.tif 000011